Podtech/llm-jp-corpus-v4-ja_patent huggingface dataset:
(57)【要約】      （修正有）【課題】蓄光顔料を練り込んだ塩化ビニール等の合成樹脂材料でつくられており、自然光や人工の光を蓄えて、暗闇時に発光するように構成されたのれんを提供すること。【解決手段】棒を円筒形または四角形に成形し、この蓄光部品をのれん状にし、畜光顔料を原材料に練り込むことにより、半永久的に効果がある。【選択図】図１
0003141302.tif 000002
【実用新案登録請求の範囲】
【請求項１】
蓄光顔料を練り込んだ塩化ビニール等の合成樹脂材料でつくられており、自然光や人工の光を蓄えて、暗闇時に発光するように構成されており、円筒形もしくは四角形の棒状のものを上部でつなぎ合わせて垂らしたのれん。
【考案の詳細な説明】
【考案の詳細な説明】
【技術分野】
【０００１】  本考案は，自然光や人口の光を蓄えて暗いところで発光する夜行性を有し、間や災害時に出入り口を識別するのに役立つ蓄光製品である。
また、蓄光顔料が練り込まれているので半永久的に効果がある。
また，円筒形または四角形の棒を上部でつなぎ合わせる構造になっているので、自由な長さおよび巾に成形することができる。
【背景技術】
【０００２】  従来の蓄光製品は蓄光顔料を布、不織布などの繊維に塗布するだけのものであり、蓄光顔料がはがれやすく、大きさの自在性がない。従来ののれんでは夜間や災害時等の停電等の際に出入り口が分かりにくい。
【考案が解決しようとする課題】
【０００３】  以上のように，従来の技術ではいろいろな問題を抱えている。そこで本考案において，解決しようとする課題は次のようなものである。
▲１▼  蓄光顔料がはがれやすい。
▲２▼  製品となったとき大きさ、長さが限定されている。
▲３▼  従来ののれんでは夜に出入り口が分かりにくい。
【課題を解決するための手段】
【０００４】  本考案は，この目的を達成するために次のような手段を講じる。
▲１▼  蓄光顔料を原材料に練り込むことにより、半永久的に効果がある。
▲２▼  縦棒を円筒形または四角形に成形する。
▲３▼  この蓄光部品をのれん状にする
【考案を実施するための最良の形態】
【０００５】  本考案のもっとも好ましい実施の形態を，添付図の図１に基づいて説明する。
図１において，１は夜行性蓄光のれんの本体である。２は上部の横棒である。
３は円筒形または四角形の縦棒である。
【考案の効果】
【０００６】  本考案による夜行性蓄光のれんを使用することによって，次のような効果がある。
▲１▼  蓄光顔料を原材料に練り込むことにより、半永久的に効果がある。
▲２▼  のれんの縦棒部分を円筒形または四角形にすることにより大きさや長さを自由にすることができる。
▲１▼  夜間や災害時等の停電時等にこののれんを掛けた出入り口がわかりやすい。
【図面の簡単な説明】
【図１】  本考案による夜行性蓄光のれんそのものを横から見たときの完成図である。
【符号の説明】
１…………夜行性蓄光のれんの本体
２…………夜行性蓄光のれんの上部の横棒部分である。
３…………夜行性蓄光のれんの縦棒部分である。
【図１】
0003141302.tif 000003
(57)【要約】【課題】登山ストックが必要なときは、これをすぐに取り出すことができ、不要なときは、これをすぐに収納することができるようにする。【解決手段】登山ストックホルダーは、帯状の取付け部材２を腰ベルト４へ通し、取付け部材３と面ファスナーで接合して垂らす。取付け部材７と８は足の太股部に、面ファスナーで接合し取付ける。ストックを保持するための９は、内側にゴム材１２を貼り付け、収納時には確実に固定し、収納と取り外しがワンタッチでできる。ストック取付け部材５と６とを面ファスナーで接合し、ストックの振れを防止固定する。 【選択図】図１
0003141309.tif 000002
【実用新案登録請求の範囲】
【請求項１】
腰ベルトから垂設された帯状取付け部材に、ストックを保持するための、保持部材を備えたことを特徴とする登山ストックホルダー。
【請求項２】
前記のストックを保持固定するリング状の取付け部材は、ワンタッチで収納と取り外しができることを特徴とする請求項１記載の登山ストックホルダー。
【考案の詳細な説明】
【技術分野】
【０００１】
本考案は、一般に、登山を行う場合にストックが必要になる。従来ストックを使って登山を行う場合、通常、これを手に持って登山を行うようになっていた。これは、このストックが、登山の間中、頻繁に使用されることが多いからである。
【背景技術】
【０００２】
しかしながら、このような登山形態では、くさり場や岩場を歩行する場合あるいは梯子を登る場合に、ストックが邪魔になるという問題があった。これは、このような場合には、両手を自由に使用可能なようにすることが望ましいからである。
【特許文献１】特開平１０−２０１８７８号公報
【考案の開示】
【考案が解決しようとする課題】
【０００３】
ストックが不要な場合、これを登山用ザックに収納するようにすれば解決することが出来る。しかしながら、このような方法では、ストックを収納したり取り出したりするのに、その都度、登山用ザックを降ろしたり背負うこととなり、時間がかかるため、登山の間中、頻繁に使用されるストックの収納には適さない。
【０００４】
本考案はかかる問題点に鑑みてなされたもので、その目的は、ストックが必要なときは、これをすぐに取り出すことができ、不要なときは、これをすぐに収納することができる、登山ストックホルダーを提供することにある。
【課題を解決するための手段】
【０００５】
以上の課題を解決するために、腰ベルトから垂設された、帯状取付け部材にストックを保持するための保持部材を備えたことを特徴とする登山ストックホルダーである。
【０００６】
ストックは通常、伸縮が可能となっており、最長１３０ｃｍ前後で使用、最短６０ｃｍ前後で収納される。本考案は、６０ｃｍ前後で収納する際、ストックの下部先端が、膝より上で収まるようにしてある。これは、その先端が膝より下へ出てしまうと、岩場やクサリ場、梯子等での昇降のとき、その先端を引っかける危険があり、それを避けることを目的としている。
【０００７】
又、前記のストック収納に関して、ストックは通常、円形パイプ製であることから、パイプの途中で固定することが難しいが、固定を可能にするための部材を考慮した。
【考案の効果】
【０００８】
本考案は、ストックが必要なときは、これをすぐに取り出すことができ、不要なときは、これをすぐに収納することができる登山ストックホルダーを提供することにある。又、ストック収納時の登下山においても、危険を回避できるよう考慮した。
【考案を実施するための最良の形態】
【０００９】
この考案の実施形態を、図２に示す。
図２に示すように、この実施形態の登山ストックホルダー１は、ストックを持っている人１０の腰ベルトに垂設し、さらにストックホルダーの下部に付いている帯状バンドを足の太股に装着する。そして、ストックを装着部材に固定する。
【００１０】
「他の実施形」
以上の実施形態では、登山ストックホルダーは、革製としたが、他の実施形態では、木製、金属やプラスチックとすることができる。
【図面の簡単な説明】
【００１１】
【図１】この考案の実施形態に係る登山ストックホルダーの斜視図である。
【図２】図１の登山ストックホルダーの使用形態である。
【符号の説明】
【００１２】
１．登山ストックホルダー  ２．３．腰ベルト装着部材  ７．８．足の太股装着部材  ４．腰ベルト
５．６．９．ストック固定保持部材  １０．ストックを保持する人  １１．ストック  １２．ゴム材
【図１】
0003141309.tif 000003
【図２】
0003141309.tif 000004
(57)【要約】【課題】何れかのユーザであっても、全てのツボを按摩することができる按摩マットを提供する。【解決手段】本体と、前記本体の上で成形されており、矩形なアレーのように排列されており、その横方向にある同士の距離と、その縦方向にある同士の距離は同じである複数の突起と、を含む按摩マット。【選択図】図１
0003141345.tif 000002
【実用新案登録請求の範囲】
【請求項１】
本体と、前記本体の上で成形されており、矩形なアレーのように排列されており、その横方向にある同士の距離と、その縦方向にある同士の距離は同じである複数の突起と、を含むことを特徴とする、按摩マット。
【請求項２】
前記各突起は、ピン形状を呈し、その頂部の縦断面形状が外側に突出した円弧形状を呈することを特徴とする、請求項１に記載の按摩マット。
【請求項３】
前記各突起は、ピン形状を呈し、その頂部の縦断面形状が内側に凹んだ円弧形状を呈することを特徴とする、請求項１に記載の按摩マット。
【請求項４】
前記各突起は、円錐形状を呈し、その頂部の縦断面形状が外側に突出した円弧形状を呈することを特徴とする、請求項１に記載の按摩マット。
【請求項５】
前記突起の数量は４２個あり、これらの突起は、横方向に６個あり、縦方向に７個あり、矩形なアレーのように排列されており、その横方向にある同士の距離と、その縦方向にある同士の距離は全て１．４センチであることを特徴とする、請求項１に記載の按摩マット。
【請求項６】
前記本体とこれらの突起は一体成形されたものであることを特徴とする、請求項１に記載の按摩マット。
【考案の詳細な説明】
【技術分野】
【０００１】
本考案は、健康器材に係り、特に、矩形なアレーのように排列されている突起が設けられている按摩マットに関するものである。
【背景技術】
【０００２】
目下、市販している按摩マットは、効果が著しくなく、また、人体のツボに対応するピンが設けられている按摩マットもあるが、ユーザは人体のツボの位置をよく分からないので、これらのピンを自分のツボに正確に対応させることができず、だから、自分のツボを有効に按摩することができない。
【０００３】
ユーザはこれらのピンを自分のツボに正確に対応させるために、人体のツボの位置を勉強することが必要であり、又は自分のツボに対応する専用な按摩マットをオーダーすることが必要である。
【考案の開示】
【考案が解決しようとする課題】
【０００４】
本考案の主な目的は、矩形なアレーのように排列されている突起により、何れかのユーザであっても、全てのツボを按摩可能である按摩マットを提供することにある。
【課題を解決するための手段】
【０００５】
上記目的を達成するためになされた本願の考案は、本体と、前記本体の上で成形されており、矩形なアレーのように排列されており、その横方向にある同士の距離と、その縦方向にある同士の距離は同じである複数の突起と、を含むことを特徴とする按摩マットであることを要旨としている。
【０００６】
本願の考案では、前記各突起は、ピン形状を呈し、その頂部の縦断面形状が外側に突出した円弧形状を呈することを特徴とする請求項１に記載の按摩マットであることを要旨としている。
【０００７】
本願の考案では、前記各突起は、ピン形状を呈し、その頂部の縦断面形状が内側に凹んだ円弧形状を呈することを特徴とする請求項１に記載の按摩マットであることを要旨としている。
【０００８】
本願の考案では、前記各突起は、円錐形状を呈し、その頂部の縦断面形状が外側に突出した円弧形状を呈することを特徴とする請求項１に記載の按摩マットであることを要旨としている。
【０００９】
本願の考案では、前記突起の数量は４２個あり、これらの突起は、横方向に６個あり、縦方向に７個あり、矩形なアレーのように排列されており、その横方向にある同士の距離と、その縦方向にある同士の距離は全て１．４センチであることを特徴とする請求項１に記載の按摩マットであることを要旨としている。
【００１０】
本願の考案では、前記本体とこれらの突起は一体成形されたものであることを特徴とする請求項１に記載の按摩マットであることを要旨としている。
【考案の効果】
【００１１】
本考案の按摩マットによれば、矩形なアレーのように排列されている突起により、何れかのユーザであっても、全てのツボを按摩可能であるという効果がある。
【考案を実施するための最良の形態】
【００１２】
以下、添付図面を参照して本考案の好適な実施の形態を詳細に説明する。
【００１３】
まず、図１及び図２を参照する。本考案の実施例に係る按摩マットは、本体１０と、複数の突起２０と、を含む。
【００１４】
前記本体１０は、プレート形状を呈し、弾性を有する樹脂素材で作製されたものであり、本実施例では、長さが８０センチであり、幅が４０センチであり、厚さが０．４センチである。
【００１５】
前記突起２０は、弾性を有する樹脂素材で作製されたものであり、前記本体１０の上で一体成形され、矩形なアレーのように排列されており、その横方向にある同士の距離ａと、その縦方向にある同士の距離ｂは同じであり、本実施例では、前記突起２０の数量は４２個あり、これらの突起２０は、横方向に６個あり、縦方向に７個あり、そして、その横方向にある同士の距離ａと、その縦方向にある同士の距離ｂは全て１．４センチであり、各突起２０の高さは全て０．８センチである。
【００１６】
ユーザは、図３に示すように、本考案に係る按摩マットに横になったときに、そのネック部、背部、腰部及び尻部が全てこれらの突起２０に押付けられ、これらの突起２０の押付けにより、ユーザのこれらの部位にあるツボが全面的に刺激され、按摩効果を収めることができる。
【００１７】
そして、本体１０及びこれらの突起２０は一体成形可能であるので、作製工程を簡単化にすることができ、生産コストを低減することもできる。
【００１８】
これらの突起２０は、図１及び図２に示すように、直径０．６センチのピン形状に成形され、且つ頂部２１の縦断面形状が外側に突出した円弧形状を呈し、このような突起２０でツボに押付けると、按摩効果が更に向上する。
【００１９】
また、これらの突起２０は、図４に示すように、その頂部の縦断面形状が内側に凹んだ円弧形状を呈してもよい。
【００２０】
また、これらの突起２０は、図５に示すように、円錐形状を呈し、その頂部の縦断面形状が外側に突出した円弧形状を呈してもよい。
【図面の簡単な説明】
【００２１】
【図１】本考案の実施例の斜視図である。
【図２】図１の側面図である。
【図３】本考案の実施例にユーザが横になった状態を示す概略図である。
【図４】本考案の実施例に係る突起の頂部の断面形状が内側に凹んだ円弧形状を呈することを示す概略図である。
【図５】本考案の実施例に係る突起の頂部の断面形状が円錐形状を呈することを示す概略図である。
【符号の説明】
【００２２】
１０      本体
２０      突起
２１      頂部
ａ        距離
ｂ        距離
【図１】
0003141345.tif 000003
【図２】
0003141345.tif 000004
【図３】
0003141345.tif 000005
【図４】
0003141345.tif 000006
【図５】
0003141345.tif 000007
(57)【要約】【課題】ウォーム軸に結合するヘリカルギヤの歯形精度を向上するようにしたウォーム軸を提供する。【解決手段】軸本体１ａに設けられたウォームギヤ５とヘリカルギヤ３とで２段減速を行なうウォーム軸１において、ヘリカルギヤ３を結合すべきウォーム軸１の外周端部２に、直にヘリカルギヤ３のギヤ歯４を形成してなるものである。【選択図】図１
0003141325.tif 000002
【実用新案登録請求の範囲】
【請求項１】
軸本体に設けられたウォームギヤとヘリカルギヤとで２段減速を行なうウォーム軸において、ヘリカルギヤを結合すべきウォーム軸の外周端部に、直にヘリカルギヤのギヤ歯を形成してなることを特徴とするウォーム軸。
【考案の詳細な説明】
【技術分野】
【０００１】
本考案は、ウォーム軸に結合するヘリカルギヤの歯形精度を向上するようにしたウォーム軸に関する。
【背景技術】
【０００２】
従来の減速機においては、ウォームギヤとヘリカルギヤによる２段減速を行う場合、ウォーム軸にヘリカルギヤをキー又はスプライン等を用いて結合していた。即ち、図２に示すように、途中にウォームギヤ１１を形成してなるウォーム軸１０にキー溝１２を備えた軸端部１３を形成し、この軸端部１３にヘリカルギヤ１４の軸孔１５を圧入すると共に、ヘリカルギヤ１４側のキー溝１６とウォーム軸１０側のキー溝１２に不図示のキーを嵌着して結合状態とするものである。
【０００３】
この場合、結合するウォーム軸１０の外周とヘリカルギヤ１４の軸孔１５の内周とにはクリアランスが必要であり、そのクリアランスが存在する分だけヘリカルギヤ１４がウォーム軸１０に対して振れが生じるという不都合があった。
【０００４】
また、ウォーム軸の外周とヘリカルギヤの軸孔の内周とにクリアランスがない状態で、大きな圧力でウォーム軸にヘリカルギヤの軸孔を圧入すると、ヘリカルギヤが変形して歯車の精度が悪くなるという問題があった。
【０００５】
上記のような出力軸とギヤとを結合した従来技術として、特許文献１には、ギヤ部とボス部とを有するギヤと、このギヤのボス部が支持部として用いられたギヤケースとギヤカバーに対して回転自在に嵌合されてなる軸受装置が記載されている。この装置において、出力軸には平行ローレット加工が施された圧入部が設けられ、この圧入部をギヤの圧入孔に圧入することによって、ギヤと出力軸とが結合される構成とされている。
【０００６】
従って、この特許文献の構成もまた、ギヤと出力軸との結合は、出力軸をギヤの軸孔に圧入する方法であるため、上記のようにギヤが変形して歯形精度が悪くなるというおそれが生じるものである。
【特許文献１】特開昭５７―１３９７２３号公報
【考案の開示】
【考案が解決しようとする課題】
【０００７】
本考案は、上記の事情に鑑みてなされたもので、ウォーム軸に結合するヘリカルギヤの歯形精度を向上するようにしたウォーム軸を提供することを目的とする。
【課題を解決するための手段】
【０００８】
上記の目的を達成するために、本考案の請求項１のウォーム軸は、軸本体に設けられたウォームギヤとヘリカルギヤとで２段減速を行なうウォーム軸において、ヘリカルギヤを結合すべきウォーム軸の外周端部に、直にヘリカルギヤのギヤ歯を形成してなることを特徴とする。
【考案の効果】
【０００９】
本考案のウォーム軸は、ヘリカルギヤを結合すべきウォーム軸の外周端部に、別体のヘリカルギヤを結合せずに、直にヘリカルギヤのギヤ歯を形成してなるウォーム軸を構成してあるため、従来のように、ウォーム軸とヘリカルギヤの軸孔にクリアランスを設けたり、ウォーム軸にヘリカルギヤを圧入する加工法を用いる必要がない。
【００１０】
従って、ウォーム軸とヘリカルギヤの軸孔とのクリアランスや圧入時のヘリカルギヤの変形に左右されずに、ウォーム軸を基準にしてヘリカルギヤの歯切りを行うことが可能となり、これによってヘリカルギヤに形成された歯形精度の向上を実現することが可能となる。また、従来のように別体のヘリカルギヤを必要としないため、部品点数の削減にも有益となる。
【考案を実施するための最良の形態】
【００１１】
以下、本考案の実施例について図面を参照しながら説明する。
【実施例１】
【００１２】
本考案によるウォーム軸１は、図１(ａ)に示すようにヘリカルギヤを結合すべきウォーム軸１の外周端部２に、図１（ｂ）に示すように、直にヘリカルギヤ３のギヤ歯４を形成することによって、ヘリカルギヤ３のギヤ歯４を備えてなるウォーム軸１を構成したものである。
【００１３】
このような構成において、本実施例は、不図示の減速機において、ウォームギヤ５とヘリカルギヤ３による２段減速を行なうウォーム軸１を構成してあり、図１(ａ)に示すように、ウォーム軸１の軸本体１ａの途中には第２段減速を行なうウォームギヤ５が形成され、このウォームギヤ５が不図示のウォームホィールに歯合される。
【００１４】
また、ウォーム軸１の軸本体１ａの外周端部２には、図１（ａ）に示すように、ヘリカルギヤ３を構成する前のギヤ形成部が形成され、この外周端部２に、図１（ｂ）に示すように所定のギヤ径、所定のギヤピッチ等を有するギヤ歯４からなるヘリカルギヤ３が形成され、このヘリカルギヤ３が不図示のモータの回転軸に結合された出力ギヤに歯合することによって、第１段減速を行なうことができる。
【００１５】
上記のように本考案のウォーム軸１によれば、ウォーム軸１の所定の外周端部２に、別体のヘリカルギヤを結合せずに、直にヘリカルギヤ３のギヤ歯４を形成した構成としてあるため、ウォーム軸１を基準にしてヘリカルギヤ３の歯切りを高精度に加工することが可能となり、また部品点数の削減にも有益となる。
【産業上の利用可能性】
【００１６】
本考案のウォーム軸は、ウォーム軸と結合する別体のヘリカルギヤを用いることなく、ウォーム軸の外周端部に、直にヘリカルギヤのギヤ歯を構成して、歯形精度の向上と部品点数の削減を図ることができるウォーム軸として利用可能である。
【図面の簡単な説明】
【００１７】
【図１】（ａ）は本考案によるウォーム軸においてヘリカルギヤを加工する前の状態を示す側面図であり、（ｂ）はヘリカルギヤを加工した状態を示す側面図である。
【図２】従来の２段減速を行なうウォーム軸を示す側面図である。
【符号の説明】
【００１８】
１  ウォーム軸
１ａ  軸本体
２  外周端部
３  ヘリカルギヤ
４  ギヤ歯
５  ウォームギヤ
【図１】
0003141325.tif 000003
【図２】
0003141325.tif 000004
(57)【要約】【課題】従来のヘラは、握持部が木製で長時間の使用においては手が痛く、持ちにくい、長時間の使用では握力が低下し疲労の原因となっていた。 【解決手段】握持部に柔らかいゴムを使用する事で、手の負担を減らし、さらに凹部を付けることで持ちやすく、滑りにくい事を目的とするヘラである。 【選択図】      図１
0003141322.tif 000002
【実用新案登録請求の範囲】
【請求項１】
握持部と薄板よりなるヘラにおいて、握持部を柔らかいゴムで覆い、握持部を柔らかいゴムにする事を特徴とするヘラ。
【請求項２】
上記ゴムの形状が一方に２カ所の凹部、他方に１カ所の凹部を付けられた事を特徴とする請求項１に記載のヘラ。
１
【考案の詳細な説明】
【技術分野】
【０００１】
本考案は壁面等の工事の際に、目地、欠損部、段差溝等をパテで埋めるパテベラ
または壁紙をカットする際にカッターを案内する地ベラに関するものである。
【背景技術】
【０００２】
従来のヘラは軽量化、価格を抑える為、握持部が１枚の木製板で木製ベースと握持部が製作されていた。
【考案の開示】
【考案が解決しようとする課題】
【０００３】
従来のヘラは軽量化、価格を抑える為、握持部が１枚の木製板で木製ベースと握持部が製作されていた為、持ち手が堅く手が痛い、さらには滑りやすいので長時間使用するには疲労の原因となっていた。
【課題を解決するための手段】
【０００４】
本考案は握持部と薄板よりなるヘラにおいて、握持部を柔らかいゴムで覆い、握持部を柔らかいゴムにする事により問題点を解決している。
【０００５】
上記ゴムの形状が一方に２カ所の凹部、他方に１カ所の凹部を付けられた事を特徴とし問題点を解決している。
【考案の効果】
【０００６】
本考案は木製ベースに柔らかいゴムを差し込み、握持部を柔らかくする事で手の負担を減らし持ちやすく、さらに握持部の一方に２カ所の凹部、他方に１カ所の凹部を付けることで持ちやすく、滑りにくい為、長時間使用の疲労軽減を目的とし木製では得られない柔らかさを持つ事が特徴とするヘラ。
【考案を実施するための最良の形態】
【０００７】
本考案図１は、木製ベース２・金属製板３・ゴム製握持部１からなり、ゴム製握持部１とはつり下げ用穴５・一方に凹部左上７・凹部左下８の２つの凹部、他方に凹部右６の大きな１つの凹部を持ち、木製ベース２とは金属製ヘラ板部分３と木製ベース２
とを金属製リベット４にて固定し合体させているヘラにおいて、壁面等の工事の際に使用し、目地、欠損部、段差溝等をパテで埋める為に使用するパテベラ、もしくは壁紙をカットする際にカッターを案内する際に使用する地ベラに関する考案である。
図２は本考案に係わる分解図である。本考案の組み立て方について説明すると、木製ベース２の上部からゴム製握持部１を差し込みボンド等で接着させ、木製ベース２と金属製板３を金属製リベット４で挟み込み固定させる。ゴム製握持部１はヘラの通常の持ち方が上から覆う様に持ち、人指し指・中指を金属製板３に付け、薬指が凹部左上７、小指凹部左下８、親指が凹部右６で握る事が主流な為、ゴム製握持部１も一方に凹部左上７・凹部左下８の２つの凹部、他方に凹部右６の大きな１つの凹部を付ける事により、持ちやすく・滑りにくい。ゴム製握持部１が柔らかいゴムの為指が痛くならず、さらに滑りにくい。使用時間が長いヘラの作業においてもっとも最適で持ちやすく・滑りにくく・疲れにくい形状である。
【図面の簡単な説明】
【０００８】
【図１】本考案のヘラの実施例を示す正面図である。
【図２】本ヘラの分解図である。
【符号の説明】
【０００９】
１  ゴム製の握持部
５  つり下げ用、穴
６  凹部右
７  凹部左上
８  凹部左下
【図１】
0003141322.tif 000003
【図２】
0003141322.tif 000004
(57)【要約】【課題】  本考案は、耳輪の片方紛失時用の予備耳輪を予め用意することで万一の片方紛失の際も耳輪のひき続きの使用を可能にする。【解決手段】  本考案は、耳輪の右耳・左耳用に加え片方紛失時用の予備耳輪の三点を一組にして製造・販売することにより万一の片方紛失の際の耳輪の継続使用を実現、使用者の実情に対応した商品の供給に成功している。【選択図】図１
0003141090.tif 000002
【実用新案登録請求の範囲】
【請求項１】
留め金および装飾部を一点の基本構造とし、右耳用・左耳用の二点に加え万一の片方紛失時用の予備耳輪の三点を一組とした耳輪
【考案の詳細な説明】
【技術分野】
【０００１】  本考案は、装身具の耳輪に関するものである。
【背景技術】
【０００２】  従来の耳輪は通常右耳用・左耳用の二点で一組であり、片方を紛失すると継続使用できなくなる重大な問題点があった。
【考案の開示】
【考案が解決しようとする課題】
【０００３】  従来の耳輪は通常右耳用・左耳用の二点で一組であり、紛失・落下防止策はあれども実際に片方紛失すると残りの片方のみではイヤリングとしての継続使用に
0003141090.tif 000003
用意することで万一の片方紛失の際も耳輪の継続使用が可能となり前述の欠点を解消しようとするものである。
【課題を解決するための手段】
【０００４】  本考案は、耳輪の右耳用・左耳用に加え片方紛失時のための予備用の三点を一組に製造（・流通）することで問題を解決している。
【考案の結果】
【０００５】  上述のように本考案の予備付三ヶ組耳輪は万一の片方紛失の際も予備耳輪を使用可能なため、引続き耳輪の継続使用が可能である。
【考案を実施するための最良の形態】
【０００６】  従来とほぼ同様の耳輪の右耳用・左耳用に予備耳輪を加えた三点を一組に製造・流通する。
【実施例】
【０００７】  以下、添付図面に従い一実施例を説明する。１および２は当該製品を構成する耳輪の右耳用および左耳用である。当該製品は此に３の予備耳輪を加えた三点を一組に製造・流通する。【０００８】  図２は当該製品の一点の一例である。当該製品の構造は基本的に留め金および装飾部により構成されるものとする。【０００９】  当該製品の寸法・形状・材質・デザイン他に関しては基本的に従来のＪＩＳ規づく従来の耳輪に準ずるものとするが、適切なものがあれば適宜変更可能とする。【００１０】  本考案はイヤリング・ピアス・イヤーカーフ・磁気イヤリング他耳輪の種類を問わず適用可能である。【００１１】  当該製品の寸法・形状・材質・デザイン他に関しては何れも特許権・商標権・意匠権・著作権その他の権利問題が一切発生しないもののみ採用可能とする。
【図面の簡単な説明】
【００１２】
【図１】  本考案の予備付三ヶ組耳輪の一実施例を示す簡単な図である。
【図２】  当該製品の一点の構造の模式図である。
【符号の説明】
【００１３】
0003141090.tif 000004
３  紛失時用予備耳輪
４  台紙
５  留め金
６  留め金・押さえ部分
７  装飾部分
【図１】
0003141090.tif 000005
【図２】
0003141090.tif 000006
(57)【要約】      （修正有）【課題】開いた状態でも、完全に鍵をロックできるようにしたアルミサッシ窓用半開き施錠鍵を提供する。。【解決手段】アルミサッシ窓のサッシの部分に鍵を内臓する事によって窓を開いた状態でも、完全に鍵が掛けられるようにしたものである。アルミサッシ窓のガラスとガラスの間の部分に鍵の凹部３を内臓し、アルミサッシ窓を開いた状態でも、鍵が完全に掛けられるようにしたものである。又数個の凹部を内臓することによって、アルミサッツシ窓の開いた状態を自由に調整しても、どの状態であっても、完全に鍵が掛けられるようにしたものである。【選択図】図１
0003141049.tif 000002
【実用新案登録請求の範囲】
アルミサッシ窓の鍵の凹部を窓ガラスのアルミサッシ部分に内臓し、窓を開いた状態でも鍵が掛けられるようにしたものである。
又、数ヶ所に凹部を内臓することによって、開いた状態を必要性に応じて自由に変えても鍵が掛けられるようにしたアルミサッシ窓。
【考案の詳細な説明】
0003141049.tif 000003
３  考案の詳細な説明
この実用新案は、アルミサッシ窓を、完全にしめた状態であれば、鍵も完全に掛けられたが、少しでも窓を開いた状態にすると鍵が掛からず、別売の止め金具でレールで止めたりしていたが、閉め方が弱いと効き目が無く不便であった。
それらの欠点を補う為にアルミサッシ窓に鍵を内臓することによって窓を開いた状態でも完全に鍵を掛けられる状態にしたものである。
【図面の簡単な説明】第１図は正面図
第２図は第１図  イ  の拡大図
第３図は第１図  ロ  の拡大図
第４図は第１図  ロ  の平面図の拡大図
0003141049.tif 000004
0003141049.tif 000005
0003141049.tif 000006
0003141049.tif 000007
【手続補正書】
【提出日】平成20年1月7日(2008.1.7)
【手続補正１】
【補正対象書類名】実用新案登録請求の範囲
【補正対象項目名】全文
【補正方法】変更
【補正の内容】
【実用新案登録請求の範囲】
【請求項１】
アルミサッシ窓の凹部を窓ガラスアルミサッシ部分に複数個内臓し、窓を半開き状態でも鍵が掛けられるようにしたことを特徴とするアルミサッシ窓用半開き施錠鍵。
【手続補正２】
【補正対象書類名】明細書
【補正対象項目名】全文
【補正方法】変更
【補正の内容】
【考案の詳細な説明】
【考案の詳細な説明】
この実用新案は、これまでのアルミサッシ窓は、閉めきった状態であれば、鍵も完全に掛けられたが、少しでも窓を開いた状態にすると鍵が掛からず、別売の止め金具をレールにはめて止めたりしていたが、止め金具の閉め方が弱いと効果が無く少し強く開こうとすると開いてしまい不便であったが、それらの欠点を補う為にアルミサッシ窓に複数個の鍵を内臓することによって見た目もきれいで、窓を半開きにした状態でも完全に鍵を掛けられるようにしたアルミサッシ窓用半開き施錠鍵。
【図面の簡単な説明】【図１】は窓と鍵の配置正面図
【図２】第１図鍵部の拡大図
【図３】第１図鍵部の断面図
【符号の説明】
１．アルミサッシ内枠２．アルミサッシ外枠３．鍵の凹部
【手続補正３】
【補正対象書類名】図面
【補正対象項目名】全図
【補正方法】変更
【補正の内容】
【図１】
0003141049.tif 000008
【図２】
0003141049.tif 000009
【図３】
0003141049.tif 000010
(57)【要約】      （修正有）【課題】一人で湿布薬がきれいに貼れる方法。【解決手段】従来の湿布薬とちがい、表（患部に貼る方）と裏にフィルムをつけておく。先に表のフィルムをはがして、患部にしっかりはりその後、裏のフィルムをはがす、裏にもしっかりしたフィルムをつけておくので、貼る時べたべたしたり、よれたりしない。【選択図】図１
0003141044.tif 000002
【実用新案登録請求の範囲】
【請求項１】
一人で湿布薬がきれいに貼れる方法。
【考案の詳細な説明】
【背景技術】今までの湿布薬は、患部に貼る方にのみフィルムをつけていたため、一部分でもフィルムをはがした段階で、どうしてもよれてしまって  べたべたして貼りにくかった。
【考案が解決しようとする課題】
この考案は、表（患部に貼る方）と裏にもフィルムを付けておき先に表のフィルムをはがして患部にしっかりはる、裏にしっかりしたフィルムをつけておくので、患部にしっかり貼れる。
貼った後で、フィルムをはがす。
【考案の効果】
従来品は、よっぽと上手にはがして上手に付けないと、よれてしまっていた。
この考案の方法だと誰でも上手に出来ます。
【図面の簡単な説明】
【図１】貼り付ける側のフィルムをはがす図。
【図２】患部に貼り付けている図。
【図３】患部貼付後、裏のフィルムをはがす図。
【図１】
0003141044.tif 000003
【図２】
0003141044.tif 000004
【図３】
0003141044.tif 000005
【手続補正書】
【提出日】平成19年11月15日(2007.11.15)
【手続補正１】
【補正対象書類名】実用新案登録請求の範囲
【補正対象項目名】請求項１
【補正方法】変更
【補正の内容】
患部に貼る表側と、裏側にフィルムを付けておき、先に表側のフィルムをはがして患部にしっかりはり、貼ったあとに、裏のフィルムをはがす
以上の事を特徴とする湿布薬。
(57)【要約】      （修正有）【課題】ペットボトルの底部を電子レンジで加熱し、花型のキットに成形し、表面にアクリル絵の具で色をぬり楽しめるアートフラワーを提供する。【解決手段】ペットボトルの底をカットし、電子レンジの中に入れて底側を上に向けて、温度オープン６００Ｗで２分間熱し、その後、２５０度にし、１分以上２分以内かけ先が丸くなったら取り出し、後から押して、花の型付けをする。【選択図】図１
0003141041.tif 000002
【実用新案登録請求の範囲】
【請求項１】
大・中・小のペットボトルの底をデンシレンジにて焼いて花形を色る作り、電球のカバー、飾り物やバック、植木ばちのカバなどに使います。
【考案の詳細な説明】
【技術分野】
【０００１】本考案は、ペットボトルの底を使い日常品や装飾品を作るキットです．
【背景技術】
【０００２】デンシレンジの温度調節によりできる事が分から無い時は、資源ゴミ又は燃え無いゴミに捨てていました．
【考案の開示】
【考案が解決しようとす課題】
【０００３】デンシレンジの温度で調節しながら、色々なペットボトルの出来ばえも楽しめるし、このキットを連ぎ合わせ、装飾品を作ったり小物を作製やアクリル絵の具で色をぬり楽しめる作品です．
【０００４】リサイクルできるペットボトルの良さや  まずプラスチックが変化為て行く良さが水をためて花ビンに為て置き物にするのも良いが、ペットボトルは熱を加えると変型いやすく形がくずれるので、それを生かし、花に変えると思います．
【課題を解決する為の手段】
【０００５】カバを作る事によりヒビ割れ防止に成る．
【０００６】ペットボトルの底の花によって、色と有る形の中に使い古しのアクリル絵の具や．マニュキウアも捨てずに利用し色付けやもようを入れる事により明るく繊細な感覚に成る．
【考案を実施する為の最良の形態】
【０００７】ポカリスエットの新作丸いペットボトルの底をカットし、又は、ｅｖｅｒの水や栄養ドリンクのペットボトルでも作れますがカットし、中心の間に切り込み７ヶ６ヶ５ヶの物も有りますが、カットし、電子レンジの中に入れて他側を上に向けて、温度オープン６００Ｗで２分
その後、２５０度にし、回るのを見ながら１分以上２分以内ｅｔｃですが先が丸くなり次第取り出し、後から押して、花を型付けます．
【０００８】でき上ったキットに色付けや、人々が触って切れたりキズに成ら無い様、手さぐり又自分の顔でキズが付か無いか確かめ、その後、ドリルで、中心や花びらの先に穴を開け（ワイヤーやリボン）で連なぎ合わせる．
【０００９】色を付けたり、ビーズを付けたり、小物をたして色やデザインを合わせる。
【００１０】ぶつかって事故の成い様再確認をする．
【図面の簡単な説明】
【００１１】
【図１】ペットボトルの切り込み形
【図２】キットの出きる種類．
【符号の説明】
【００１２】１  ポカリスエット再新のペットボトルやエービヤンその他栄栄飲料水
２  電子レンジ
３  ワイヤー
４  リボン
５  ドリル
６．アクリル絵の具
７．マニュキアｅｔｃ
【図１】
0003141041.tif 000003
【図２】
0003141041.tif 000004
【手続補正書】
【提出日】平成19年10月23日(2007.10.23)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの底をデンシレンジにて温度調整をしタリヤの花  桜ｅｔｃ花形を色々作り暗い中に光る様なイルミネーションやｅｔｃを作るアートフラワーの作品です。
【手続補正２】
【補正対象書類名】図面
【補正対象項目名】全図
【補正方法】変更
【補正の内容】
【図１】
0003141041.tif 000005
【図２】
0003141041.tif 000006
【手続補正書】
【提出日】平成20年1月16日(2008.1.16)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの底部を加熱して花形に成形し、表面に塗料を塗布したアートフラワー。
(57)【要約】【課題】  家庭などでお茶を入れる際、ポットから急須にお湯を注ぐため片手で急須を持ち、もう片方の手でポットの給湯スイッチなどを押す作業があった。そのため、お湯の跳ね返り・急須の落下に気を配らなければならなかった。この点の改善を課題とする。【解決方法】  ポットのお湯注ぎ口の下に急須用の置台と湯呑用の置台を設置する。これにより、ポットからのお湯を注ぐ際に片手で急須を持つ必要がないため、お湯の跳ね返りの火傷や急須を落とす等の恐れがない。また、湯呑にお茶を入れる際は急須を持ち上げずに、傾ければお茶を入れることができるようになる。【選択図】    図1
0003141050.tif 000002
【実用新案登録請求の範囲】
【請求項１】
ポットのお湯注ぎ口の下に急須用の置台を設置し、急須を持たなくても注ぎ口付近でお湯を注ぐことができる。
【請求項２】
請求項1に続き、急須を持ち上げずに傾けるだけで、湯呑にお茶を入れることができる。
【考案の詳細な説明】
【技術分野】
【０００１】
本考案はポットから急須にお湯を注ぎ、湯呑にお茶を入れることに関するもの
【背景技術】
【０００２】
家庭などでお茶を入れる際、ポットから急須にお湯を注ぐため片手で急須を持ち、もう片方の手でポットの給湯スイッチなどを押す作業があった。
【考案の開示】
【考案が解決しようとする課題】
【０００３】
解決しようとする問題点は、ポットからのお湯を注ぐ際に急須を片手で持つ点である。
【課題を解決するための手段】
【０００４】
本考案はポットの注ぎ口の下に急須用の置台と湯呑用の置台を設置するのを特徴とする。
【考案の効果】
【０００５】
本考案はポットからのお湯を注ぐ際に片手で急須を持つ必要がないため、お湯の跳ね返りの火傷や急須を落とす等の恐れがない。また、湯呑にお茶を入れる際は急須を持ち上げずに、傾ければお茶を入れることができるようになる。
【考案を実施するための最良の形態】
【０００６】
本考案の実施形態について図面を参照しながら説明する。
【０００７】
図1は急須を置くための台の図面である。1が急須の設置面、2が湯呑の設置面、3はポットを置く場所である。1・2は急須・湯呑を落ちにくくするために段差が設けてある。また、ポットの注ぎ口の高さや、急須の形は様々なので、適切な位置に急須が設置できるように、加減できる台、ギヤ等を使用し上下可動できるよう、位置調整が可能な構造にする。湯呑も様々な形があるので湯呑用の台も上記の様な構造を用いる。
【産業上の利用可能性】
【０００８】
材質はプラスチック・木等で急須にお湯、湯呑にお茶が入っても壊れない構造のもの。また様々な急須・湯呑の形に対応できるように高さが調節可能なもの。これにより、子供からお年寄りまで、誰でも安全にポットから急須にお湯を注ぐことができ、湯呑にお茶を入れることができる。
【図面の簡単な説明】
【０００９】
【図１】本考案の正面図である。
【符号の説明】
【００１０】
1                    
急須設置面
2                    
湯呑設置面
3                    
ポット設置場所
【図１】
0003141050.tif 000003
【手続補正書】
【提出日】平成19年12月3日(2007.12.3)
【手続補正１】
【補正対象書類名】実用新案登録請求の範囲
【補正対象項目名】全文
【補正方法】変更
【補正の内容】
【実用新案登録請求の範囲】
【請求項１】
ポットのお湯を急須から湯呑み等に小分けする場合に、急須を持たなくても片手で簡単にお湯を注がれ、お湯が湯呑からはみだしたり、跳ね返りが少ない、一定の高さと大きさの急須等をのせ小分けするための形状を有する急須・湯呑置台。
【手続補正書】
【提出日】平成20年2月8日(2008.2.8)
【手続補正１】
【補正対象書類名】実用新案登録請求の範囲
【補正対象項目名】全文
【補正方法】変更
【補正の内容】
【実用新案登録請求の範囲】
【請求項１】
急須を載せる台と湯呑みを載せる台を並べて組み合わせた台であって、急須を載せる台を湯呑みの高さより高くし、給湯ポットの注ぎ口より急須の天面が低くなることを特徴とする急須・湯呑置台。
【請求項２】
急須及び湯呑みを載せる面の外周部に段差を設けることを特徴とする請求項１記載の急須・湯呑置台。
【手続補正２】
【補正対象書類名】明細書
【補正対象項目名】０００７
【補正方法】変更
【補正の内容】
【０００７】
図１は本考案の平面図である。１が急須を置く台、２が湯呑を置く台である。図２は本考案の正面図である。急須・湯呑を落ちにくくするための段差３を設けてある。また、ポットの注ぎ口の高さや、急須の形は様々なので、適切な位置に急須が設置できるように、高さが加減できる台とし、ギア等を使用し上下可動できるよう、位置調整が可能な構造にしてもよい。湯呑も様々な形があるので湯呑用の台も前記の様な構造を用いてもよい。
【手続補正３】
【補正対象書類名】明細書
【補正対象項目名】０００９
【補正方法】変更
【補正の内容】
【０００９】
【図１】本考案の平面図
【図２】本考案の正面図
【図３】本考案の使用状態を示す斜視図
【手続補正４】
【補正対象書類名】明細書
【補正対象項目名】００１０
【補正方法】変更
【補正の内容】
【００１０】
１．急須置台
２．湯呑置台
３．外周部段差
【手続補正５】
【補正対象書類名】図面
【補正対象項目名】図１
【補正方法】変更
【補正の内容】
【図１】
0003141050.tif 000004
【手続補正６】
【補正対象書類名】図面
【補正対象項目名】図２
【補正方法】追加
【補正の内容】
【図２】
0003141050.tif 000005
【手続補正７】
【補正対象書類名】図面
【補正対象項目名】図３
【補正方法】追加
【補正の内容】
【図３】
0003141050.tif 000006
(57)【要約】      （修正有）【課題】読み字通りに点字を書け、紙の任意の位置に書ける点字器を提供する。【解決手段】突起４の周辺に土手９を設け、その土手で紙を支える。土手の高さは突起と同じ程度に形成する。紙は点字形成ピンで押される以外は突起に押しつけられないので、不要な痕跡を残さない。また、上板５と下板２の位置決めに、上板と下板の同じ位置に夫々同径の磁石７を設置し、その吸着力で位置決めと、紙の固定を行う。点字器は紙の任意の位置に移動できる。【選択図】図１
0003141093.tif 000002
【実用新案登録請求の範囲】
【請求項１】
上板と下板の同一位置に磁石を設置したことを特徴とする点字器。
【請求項２】
下板に突起を形成し、この突起の周辺に、突起と同程度の高さの土手を設置した請求項１の点字器。
【考案の詳細な説明】
【技術分野】
【０１】点字を書く点字器の改良に関する。
【背景技術】
【０２】突起板の上に紙を置き、上から凹ピンを押し付けて紙に突起を形成する点字器は読み字通りに書くことが出来、有用なものである。
参考文献  特願２００５−２９１６８９【０３】しかしながら、紙が常に突起に押し付けられるので、書き込んでいない点が紙に写る。特に、書き込んだ点の隣の点に強く写り、書き込んだ点と紛らわしい。【０４】また、突起とピンの案内穴の正確な位置決めが必要なため、上板と下板は蝶番で連結されているので、大きい紙の任意の位置に点字を書くのに不便である。さらに紙の固定に尖ったピンを形成し、紙に突き刺しているので、この部分を点字と間違えたりする。
【課題】
【０５】読み字通り、綺麗に点字を書け、紙の任意の位置に書ける点字器を提供する。
【解決手段】
【０６】突起の周辺に土手を設け、その土手で紙を支える。土手の高さは突起と同じ程度に形成する。紙は点字形成ピンで押される以外は突起に押しつけられないので、不要な痕跡を残さない。
【０７】上板と下板の位置決めに、上板と下板の同じ位置に夫々同径の磁石を設置し、その吸着力で位置決めと、紙の固定を行う。点字器は紙の任意の位置に移動できる。
【実施例１】
【０８】点字器１は下板２に鋼球３を埋めて突起４を形成する。上板５は書き込みピン１０の案内穴６を開口する。突起４の周辺に突起４と同じ程度の高さの土手９を設ける。
土手９の高さは、実用的には突起４の高さより若干低くすると点字が綺麗に書ける。
土手９は点字器１の行間等に設ける。土手９の任意の位置に磁石棒７を設置し、上板５の同じ位置に磁石棒７と同じ直径の磁石棒８を、磁石棒７と吸着するように設置する。
【作用】
【０９】下板２の上に紙を乗せ、上から上板５を下板２の凡その位置に乗せると、磁石棒７、磁石棒８は引き付け合い、上板５と下板２の位置決めをすると共に、紙を土手９で受けて固定する。先端凹形の書き込みピン１０を、所要の位置で案内穴６より突起４に押し付けると、紙に所要の突起を形成できる。
【効果】
【１０】紙は土手９で受けられるので、書き込んでいない点が紙に写ることがほとんど無く、不要な痕跡を残さず、綺麗に書ける。
【１１】大きな紙であっても任意の位置に点字器を置け、ポスター、パンフレット等に容易に点字が書ける。
【１２】紙に穴を開けることなく紙を固定できるので読み間違いを避けられる。また紙を挟んだまま点字器を紙の任意の位置に滑らして移動できる。
【１３】磁石棒７，８は少なくとも二箇所に設置し、吸着極を逆にしておくと、反対の位置に置いたときは磁石が反発するので、合わせ間違いを防げる。
【１４】磁石で位置決めすることは、従来の市販点字器にも容易に適応できる。
【図面の簡単な説明】
【１５】
【図１】実施例１の点字器の横断面図
【符号の説明】
【１６】１：点字器  ２：下板  ３：鋼球  ４：突起  ５：上板  ６：案内穴  ７：磁石棒  ８：磁石棒  ９：土手  １０：書き込みピン
【図１】
0003141093.tif 000003
(57)【要約】      （修正有）【課題】従来の圧着工具での移動や運搬時の労力と、作業効率低下を解消する。【解決手段】取っ手部１と、足載せ部２によって、工具本体に人が乗ることにより加重して圧着する。【選択図】図１
0003141100.tif 000002
【実用新案登録請求の範囲】
【請求項１】
床材を圧着する為のローラー部と、このローラー部に人が乗れる為の取っ手部と、足載せ部を備えた、床材圧着工具。
【考案の詳細な説明】
【技術分野】
【０００１】本考案は、床材を圧着する為の工具に関する。
【背景技術】
【０００２】従来の工具では、ローラー部が３０ｋｇ〜５０ｋｇと重かったり（図２）本体が軽量であっても、別の３０ｋｇ〜１００ｋｇのおもりＴを用いて本体に載せなければならなかった。（図３）
【考案の開示】
【考案が解決しようとする課題】
【０００３】しかし、これではローラー本体やおもりの移動が大変で作業効率も捗らなかった。
【課題を解決する為の手段】
【０００４】そこで、軽量のローラー部に、人が乗れるように、取っ手部と足載せ部を設け、本人の体重で、加重して圧着する特徴の工具を考案した。（図１）
この圧着工具により、移動の労力が減り、なおかつ、圧着作業も従来より早く出来る。
【考案の効果】
【０００５】この考案により、工具の移動や車両等に積み込み時の労力が激減し、尚且つ、圧着作業も従来より早くする事が出来る。
【考案を実施するための最良の形態】
【０００６】本考案に係る圧着工具１０は、図１に示すように、人が乗った時にバランスを保つ為の取つ手部１と、足を載せた時に固定する為の足載せ部２を備えている。
この取っ手部１は、取り外し可能にして、運搬時にかさばる事がないことが望ましく、尚且つ使う人の身長に合わせて取っ手の位置を変えられるものが望ましい。
【図面の簡単な説明】
【０００７】
【図１】本考案に係る圧着工具の図面
【図２】従来のローラー部が３０ｋｇ〜５０ｋｇの圧着工具の図面
【図３】従来の３０ｋｇ〜１００ｋｇ位までのおもりを載せる圧着工具の図面
【符号の説明】
【０００８】１取っ手部
２足載せ部
１０圧着工具
Ｔおもり
【図１】
0003141100.tif 000003
【図２】
0003141100.tif 000004
【図３】
0003141100.tif 000005
(57)【要約】      （修正有）【課題】料理の素材から出る水分，肉、野菜、魚介類の鮮度を保つ為、皿に溜まる水切りができるようにした皿を提供する。【解決の手段】皿１の低部に穴を空けて、この穴より中心棒３とカバー６の間をすり抜けた水を皿の下に受け皿７を設けて集める様にした。【選択図】図１
0003141094.tif 000002
【実用新案登録請求の範囲】
【請求項１】
皿に乗せた食材から出る水分を取り除く為、皿の低部に穴を空け，皿下の受皿に水分を集める様にした皿。
【考案の詳細な説明】
【技術の分野】
【０００１】本考案は皿低部に穴を空け、料理の素材から出る水分を皿下の受け皿に集めて素材の鮮度を保つ様にした皿。
【背景技術】
【０００２】皿に溝を作った物、吸い取り紙を引いたりした物が有るが、時間を置くと水分が多くなり、皿上に溜まりやすい。
【考案の開示】
【考案が解決しようとする課題】
【０００３】料理の素材の下に溜まる水分、特に解凍素材を盛り付けした魚貝類から出る水分は多く、水切りが必要と成る。
【課題を解決するための手段】
【０００４】素材からの水分は、皿中央の穴より（３）中心棒と（６）カバ−の間をすり抜けて，（７）受け皿に集まる様にした皿。【０００５】（５）支持体を置く事により、素材で除水口が詰まらない様にした皿。
【考案の効果】
【０００６】構造が簡単で故障が少なく安値で出来る皿。
【考案を実施するための最良の形態】
【０００７】中心棒上下の（４）ネジ、（８）軸受で、全体を挟み、締め付けて固定する。【０００８】除水機構付き皿。
（６）カバ−で皿穴を保護してカバ−の下部分を少々しぼり、流れ出す水分をスム−ズに（７）受け皿に流すようにした。（７）受皿，（５）支持体は円形でも図の用に角型でも良い、（８）軸受は（７）受皿に一体している物である。【０００９】使用法
組み立ては［図２］の様になり、（８）軸受けと（３）中心棒を締め（５）支持体を挟み込む用にして（４）ネジを締め付ける。【００１０】部品は単体で掃除もし易い、材質は、セラミック材か合成樹脂材で作成。
【図面の簡単な説明】
【００１１】
【図１】斜視図
【図２】完成図
【符号の説明】
【００１２】１      皿
２      除水口
３      中心棒
４      ネジ
５      支持体
６      カバ−
７      受皿
８      軸受
【図１】
0003141094.tif 000003
【図２】
0003141094.tif 000004
(57)【要約】      （修正有）【課題】原動機の冷却水温をあげて暖機運転時間を短縮する。【解決手段】前の日にタイマーで次の日の始動２時間前に通電時間をセットしておき、時間がくれば冷却水内に設置したヒーター２により冷却水温を２０〜３０度に上げて暖機運転時間を短縮し、ガソリン消費量の削減、ＣＯ２の削減に貢献する。【選択図】図１
0003141098.tif 000002
【実用新案登録請求の範囲】
【請求項１】
原動機の冷却水内に設置したヒーターにより冷却水の温度を２０〜３０度に上げ、暖機運転時間の短縮を特徴とした暖機運転短縮ヒーター。
【考案の詳細な説明】
【技術分野】
【０００１】本考案は原動機内の冷却水温を始動前に１００Ｖ電源のヒーターで２０〜３０度にあげる装置である。
【背景技術】
【０００２】原動機はスタート時に冷却水温が上昇するまで、又エンジンオイルが原動機全体に行き渡るるまで暖機運転をしばらく続けなければならない。
【考案が解決しようとする課題】
【０００３】原動機内の冷却水をあらかじめ２０〜３０度に上昇させておけば、始動したときエンジンオイルが各部に行き渡る２〜３分運転をすればすむので暖機運転時間の短縮になり、ガソリン消費量の減少、ＣＯ２の排出削減にもなる。
【課題を解決するための手段】
【０００４】原動機のシリンダーヘッドの冷却水通路内にニクロム線の熱源を設置しタイマーで通電し冷却水を２０〜３０度に上昇させる。
【考案の効果】
【０００５】従来は、冬であれば冷却水４〜５度を３０度に上昇させようとすれば１０〜１５分暖機運転を行わなければならなかったが、この装置を使えばエンジンスタートの時点で冷却水の温度は３０度になっておりエンジンオイルが全体に回る２〜３分暖機運転するだけで済む。
【考案を実施するための最良の形態】
【０００６】ニクロム線をステンレスパイプ内に配し、そのパイプを固定したスペーサーをサーモスタットの下に配置しそのニクロム線に通電し冷却水温を上昇させる。
【図面の簡単な説明】
【０００７】
【図１】全体の概略図（横から見た図）
【図２】サーモスタットカバー、サーモスタットを外し上から見た図
【図３】配線図
【符号の説明】
【０００８】  １    シリンダーヘッド
２    ヒーター本体（外形８ｍｍ×内径５ｍｍステンレスパイプ）
３    スペーサー
４    サーモスタット（原動機のサーモスタット）
５    サーモスタットカバー
６    配線カプラー（配線接続具）
７    １００Ｖ配線
８    水温検知器（ヒーターのサーモスタット）
９    コントローラーＢＯＸ
１０    タイマー
【図１】
0003141098.tif 000003
【図２】
0003141098.tif 000004
【図３】
0003141098.tif 000005